(57)【要約】【課題】大当たり状態が発生して右打ちを行った場合でも大当たり終了後において速やかに通常遊技に適した発射位置に調節することができる打球発射ハンドルを提供する。【解決手段】遊技機の前面に回動自在に支持され、遊技機の遊技領域に遊技球を発射する発射力を調整する打球発射ハンドルにおいて、回動可能に支持され遊技球の発射力を調整する第１のハンドルリング１４と、第１のハンドルリング１４と同軸上に且つ相対回転可能に支持される第２のハンドルリング２１とを備えるようにした。そして、第２のハンドルリング２１に第１のハンドルリング１４の回動角度を規制するハンドル規制部３０を設けるようにした。【選択図】図３
2008086371.tif 000002
【特許請求の範囲】
【請求項１】
遊技機の前面に回動自在に支持され、前記遊技機の遊技領域に遊技球を発射する発射力を調整する打球発射ハンドルにおいて、
回動可能に支持され前記遊技球の発射力を調整する第１の操作部材と、
前記第１の操作部材と同軸上に且つ相対回転可能に支持される第２の操作部材と、を備えたことを特徴とする打球発射ハンドル。
【請求項２】
請求項１に記載の打球発射ハンドルにおいて、
前記第２の操作部材は、前記第１の操作部材の回動角度を規制する規制手段を備えたことを特徴とする打球発射ハンドル。
【請求項３】
請求項２に記載の打球発射ハンドルにおいて、前記第１の操作部材の外周に突起を設け、前記規制手段により前記突起を規制することにより前記第１の操作部材の回動角度を規制することを特徴とする打球発射ハンドル。
【請求項４】
請求項２又は３に記載の打球発射ハンドルにおいて、前記規制手段は、前記第１の操作部材に対する規制を解除可能に構成されていることを特徴とする打球発射ハンドル。
【請求項５】
請求項２乃至４の何れか１項に記載の打球発射ハンドルにおいて、前記第２の操作部材は前記規制手段の角度位置に任意に設定可能に構成されることを特徴とする打球発射ハンドル。
【請求項６】
請求項５に記載の打球発射ハンドルにおいて、前記第２の操作部材は、当該第２の操作部材を任意の角度位置に固定する固定部材を取り付け可能に構成されていることを特徴とする打球発射ハンドル。
【請求項７】
請求項１乃至請求項６の何れか１項に記載の打球発射ハンドルを備えたことを特徴とするパチンコ遊技機。
【発明の詳細な説明】
【技術分野】
【０００１】
本発明はパチンコ遊技機等において遊技者が遊技球の発射力を調整する打球発射ハンドルと、そのような打球発射ハンドルを備えたパチンコ遊技機に関するものである。
【背景技術】
【０００２】
パチンコ遊技機には、遊技盤の遊技領域に向けて遊技球を発射する打球発射装置が設けられており、遊技者は打球発射装置に備えられている打球発射ハンドルにより遊技球の発射力を調整しながら遊技を行うようにしていた。このため、遊技者は遊技中、常に打球発射ハンドルを握り続けている必要があり、長時間遊技を行った場合には腕や肩が疲れてしまうという問題点があった。
このような問題点を解決する手法としては、いわゆる「固定打ち」と呼ばれるハンドルを任意の発射力・発射位置に調節したままで保持可能に構成した遊技機が知られている（特許文献１乃至３）。
【０００３】
例えば、特許文献１には、遊技者にとって馴染んだ手順によって回動操作部材を任意の回動度合いで安定して保持でき、しかもがたつきや傷を防止できる遊技機の操作ハンドルとして、取り付け部材と握り部材との間に回動自在に設けられた、遊技球の発射力を回動度合いによって調整する回動操作部材の後部に、後面を可撓性の係止歯部としたコインを挿入するための挿入孔を穿設する。また、取り付け部材の前面周囲の回動操作部材の回動範囲において係止歯部と対向する部分に亘って、被係止歯部を刻設する。コインを挿入孔に挿入すると、係止歯部が撓んで被係止歯部が噛合し、回動操作部材を保持したものが開示されている。
【０００４】
また特許文献２には、固定部と回転部との間に形成された空間部に嵌込まれたパチンコ球を容易に取り出すことができる発射遊技機の発射力調節ハンドルとして、発射遊技機の本体に固定された固定部と、発射遊技機に設けられた発射位置によるパチンコ球の発射速度を調節するための回転部とを備える。回転部には、固定部との間においてパチンコ球が嵌込まれる空間部を構成する凹部が形成されている。回転部には、その凹部と固定部との間の空間部に嵌込まれたパチンコ球を押し出す押出部材を装着したものが開示されている。
【０００５】
また特許文献３には、固定部材を挿入した際には回動操作部の回動位置が固定でき、回動操作部と固定部の接触面の削れによる回動操作部の機能の異常発生やメッキの剥がれによる外観を損ねる弊害を減少することのできる弾性遊技機として、遊技機本体に対して固定されるハンドル取付部に対して回動自在に設けられ、発射力を調節可能とする回動操作部とを備えた発射ハンドル手段を含み、ハンドル取付部の周囲の一部と回動操作部との間に固定部材を挿入して当該ハンドル取付部に対する回動操作部の回動位置を固定させるための固定部材挿入部を形成したものが開示されている。
【特許文献１】特開平１１−２２６１８７号公報
【特許文献２】特開平１１−０００１３７号公報
【特許文献３】特開２００２−２１００９７公報
【発明の開示】
【発明が解決しようとする課題】
【０００６】
しかしながら、固定打ちが可能なパチンコ遊技機では、例えば、固定部材をハンドルリングとベース部材の隙間に挿入して、ハンドルリングの動き自体を固定する構造であるため、ハンドルリングを一度固定してしまうと発射力の調整が行えなくなるという問題点があった。
特に、遊技盤面の右側に大入賞口が備えられており、大当たり状態となったときに多くの賞球を得るために、遊技球の発射力を強く調節して発射する、いわゆる「右打ち」と呼ばれる特殊な遊技方法を必要とする遊技性のパチンコ遊技機や、遊技盤面の様々な位置に大入賞口などの入賞口や入賞装置が備え付けられており、遊技の進行によって開放状態となる特定の大入賞口や入賞装置などを適宜に狙い打つことで多くの賞球を得るような遊技性のパチンコ遊技機においては、遊技球の発射力・発射位置が通常遊技時に適度となる位置に調整したハンドルを固定したとしても、遊技の進行や遊技の状態の変化に合わせて固定を解除し適宜発射位置に調整しなければならず、また、一度固定を解除してしまった場合には、再度発射位置を通常遊技に適した発射位置に再調整しなければならないといった煩わしさがあった。
【０００７】
本発明は上記した点に鑑みてなされたものであり、遊技の進行や遊技の状態変化に合わせて、遊技球の発射力を通常遊技時の発射位置とそれ以外の遊技時の発射位置に調節する必要がある場合においても、遊技球の発射位置を容易に調節することができる打球発射ハンドルと、そのような打球発射ハンドルを備えたパチンコ遊技機を提供することを目的とする。
【課題を解決するための手段】
【０００８】
上記目的を達成するため、本発明の打球発射ハンドルは、遊技機の前面に回動自在に支持され、前記遊技機の遊技領域に遊技球を発射する発射力を調整する打球発射ハンドルにおいて、回動可能に支持され前記遊技球の発射力を調整する第１の操作部材と、前記第１の操作部材と同軸上に且つ相対回転可能に支持される第２の操作部材と、を備えたことを特徴とする。
また本発明の打球発射ハンドルは、前記第２の操作部材は、前記第１の操作部材の回動角度を規制する規制手段を備えたことを特徴とする。
また本発明の打球発射ハンドルは、前記第１の操作部材の外周に突起を設け、前記規制手段により前記突起を規制することにより前記第１の操作部材の回動角度を規制することを特徴とする。
【０００９】
また本発明の打球発射ハンドルは、前記規制手段が前記第１の操作部材に対する規制を解除可能に構成されていることを特徴とする。
また本発明の打球発射ハンドルは、前記第２の操作部材は前記規制手段の角度位置に任意に設定可能に構成されることを特徴とする。
また本発明の打球発射ハンドルは、前記第２の操作部材は、当該第２の操作部材を任意の角度位置に固定する固定部材を取り付け可能に構成されていることを特徴とする。
また本発明のパチンコ遊技機は、本発明の打球発射ハンドルを備えたことを特徴とする。
【発明の効果】
【００１０】
本発明の打球発射ハンドルにおいては、遊技球の発射力を調整する第１の操作部材に加えて、この第１の操作部材と同軸上に且つ相対回転可能に支持される第２の操作部材を設けたことで、これまでにない打球発射操作を実現することが可能になる。例えば、第１の操作部材に加えて、第２の操作部材により遊技球の発射力を調整可能にすれば、第１又は第２の操作部材の操作に応じて発射力を切り替えることが可能になる。従って、遊技球の発射力を通常遊技時の発射位置とそれ以外の遊技時の発射位置に調節する必要がある場合においては、第１の操作部材の発射力を通常遊技時に適度となる発射位置に調節し、第２の操作部材をそれ以外の遊技時の発射位置に調節しておけば、遊技球の発射位置を容易に調節することが可能になる。
【００１１】
また、遊技球の発射力を調整する第１の操作部材の回動位置を第２の操作部材に設けた規制手段により規制すれば、従来のように遊技球の発射力を調整する第１の操作部材を固定しないため、ハンドル規制部により規制した発射位置より時計回り方向の範囲内であれば、即ち遊技球の発射力を強める方向の範囲内であれば発射力を調節することが可能になる。
また、第２の操作部材の規制手段により第１の操作部材の発射位置を通常遊技に適した発射位置に規制しておけば、例えば、大当たり状態となったときに多くの賞球を得るために遊技球の発射力を強く調節して発射した場合でも、大当たり終了後、第１の操作部材の発射位置を通常遊技に適した発射位置に速やかに戻すことが可能になる。
【発明を実施するための最良の形態】
【００１２】
以下、本発明の実施形態について説明する。
図１は、本発明の実施形態に係るパチンコ遊技機の全体正面図である。
図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４の遊技球を遊技盤３の遊技領域に発射する打球発射装置の打球発射ハンドル５が固着されている。なお、打球発射ハンドル５の詳細な構造については後述する。
また、受け皿部４と打球発射ハンドル５との間には前面下部板６が取り付けられており、この前面下部板６には遊技用ボタンスイッチや、遊技球の購入ボタン、購入取り消しボタン、受け皿部４内の遊技球を下方から外部に抜くための球抜きボタン等が設けられている。
【００１３】
以下、図２乃至図７を用いて本実施形態の打球発射ハンドルについて説明する。
図２は、本実施形態の打球発射ハンドルの外観斜視図、図３はその正面図、図４はその分解斜視図である。
図２、図３に示す打球発射ハンドル５では、ベースとなるハンドルベース１１の筒状部１１ａがパチンコ遊技機１の前面に支持される。
またハンドルベース１１には、遊技者が遊技盤３の遊技領域に遊技球を発射する発射力を調整する第１の操作部材である第１のハンドルリング１４と、この第１のハンドルリング１４と同軸上に且つ相対回転可能に支持され、第１のハンドルリング１４の回動角度（回動位置）を規制する第２の操作部材である第２のハンドルリング２１とを備えている。
【００１４】
第１のハンドルリング１４の外周には、概ね指一本分の間隔を離して複数の指掛部１４ａ、１４ｂ、１４ｃが形成されている。また第１のハンドルリング１４には突起１５が形成されており、この突起１５を利用して第１のハンドルリング１４の回動角度、即ち遊技盤３の遊技領域に遊技球を発射する発射力を規制するようにしている。
一方、第２のハンドルリング２１には、規制手段として第１のハンドルリング１４の突起１５を利用して回動角度を規制するハンドル規制部３０が備えられている。なお、ハンドル規制部３０の詳細については後述する。
【００１５】
次に、図４に示す打球発射ハンドルの分解斜視図を用いて打球発射ハンドルの構造を説明する。
打球発射ハンドル５のハンドルベース１１は、筒状部１１ａの先端に半球殻状部１１ｂが一体に成形されていると共に、この半球殻状部１１ｂ内に隔壁１１ｃが一体に成形されている。この隔壁１１ｃの中心部に開設された透孔１１ｄには、回転角度検出用のロータリセンサ１２の回転軸１２ａが貫挿される。
扇形状の大径歯車１３の中心には、中空筒状の軸部１３ａが一体に形成され、この軸部１３ａを第１のハンドルリング１４の中心に形成されたボス孔１４ａに嵌着することにより、第１のハンドルリング１４と大径歯車１３とを固着するようにしている。
このとき、大径歯車１３の軸部１３ａ内にロータリセンサ１２の回転軸１２ａを貫挿することにより、第１のハンドルリング１４がハンドルベース１１に対して回動操作可能に取り付けられることになる。
また大径歯車１３には、第１のハンドルリング１４を正面から見て反時計回り方向に付勢させる第１の付勢部材１６が取り付けられている。
【００１６】
第１の付勢部材１６は、バネ１６ａと歯車１６ｂとを備え、歯車１６ｂを大径歯車１３の小径歯車１３ｂと螺合することにより大径歯車１３を介して第１のハンドルリング１４を正面から見て反時計回り方向に付勢する。
第１のハンドルリング１４は、その外周に概ね指一本分の間隔を離して複数の指掛用突起１４ｃ〜１４ｅが連続的に形成されている。また第１のハンドルリング１４の前面には、略半球殻状に形成されたハンドルキャップ１８が取り付けられている。このハンドルキャップ１８は、ハンドルベース１１内に形成された筒状柱１１ｅ、１１ｆ、１１ｇに対して後面からそれぞれ図示しないビスを貫挿することにより、第１のハンドルリング１４が回転可能なるように所定の隙間を離して固定される。
【００１７】
第２の付勢部材１７は、例えば巻きバネにより構成され、一端をハンドルベース１１内に形成された筒状柱１１ｅに取り付けられたビス（図示しない）に止着すると共に、他端を第１のハンドルリング１４に形成された係合片１４ｂに止着することにより、第１の付勢部材１６と同様、第１のハンドルリング１４を正面から見て反時計回り方向に付勢する。なお、カバー部材１８ａは、ハンドルキャップ１８内に設けられている図示しないＬＥＤ等を保護するための保護板である。
またハンドルベース１１内には、当該打球発射ハンドル５に遊技者が触れているか否かを検知する人体検知センサ１９が備えられている。そして、この人体検知センサ１９の後方に人体検知センサ１９を保護するための保護板２０が取り付けられる。なお、人体検知センサ１９は必ずしも設ける必要はない。
【００１８】
また本実施形態の打球発射ハンドル５においては、ハンドルベース１１の半球殻状部１１ｂの外周上に第１のハンドルリング１４の回動角度を規制するためのハンドル規制部３０を備えた第２のハンドルリング２１が取り付けられる。なお、第２のハンドルリング２１の後方には、第２のハンドルリング２１をハンドルベース１１の半球殻状部１１ｂに回動可能に取り付けるための取付部材２２、２３が図示しないビスによりハンドルベース１１に取り付けられている。
ハンドル規制部３０は、第２のハンドルリング２１に一体形成されているストッパ受部３１と、第２のハンドルリング２１とは別体で構成されているストッパ部材３２及びストッパカバー部材３３とからなり、ストッパ受部３１にストッパ部材３２を収納したうえでストッパカバー部材３３を図示しないビスにより取り付けることにより構成される。
【００１９】
図５は、ハンドル規制部３０を構成するストッパ部材３２及びストッパカバー部材３３の構成を示した図である。この図５に示すように、ストッパ部材３２の一端側には突起部３２ａが形成されている。またストッパカバー部材３３には、スリット３３ａと、そのスリット３３ａの両側に突起部３３ｂとが形成されており、スリット３３ａに沿ってストッパ部材３２をスライドさせた時に上記ストッパ部材３２の突起部３２ａとストッパカバー部材３３の突起部３３ｂとが当接してストッパ受部３１からストッパ部材３２が脱落しないよう構成されている。
【００２０】
このように構成される本実施形態の打球発射ハンドル５は、第１のハンドルリング１４が第１の及び第２の付勢部材１６、１７の付勢力により初期位置に静止している状態では打球発射装置から遊技球を発射しない。一方、遊技者が第１のハンドルリング１４を初期位置から時計回り方向に回動操作することにより、図示しない打球発射装置のロータリーソレノイド等の電磁アクチュエータが作動して遊技球を発射することになるが、このとき、第１のハンドルリング１４の回動は大径歯車１３の軸部１３ａを介してロータリセンサ１２の回転軸１２ａに伝達される。これにより、ロータリセンサ１２の抵抗値が変化して電磁アクチュエータによる発射力が調整されて遊技盤３の遊技領域に発射される遊技球の発射力、即ち飛距離が変化することになる。
また本実施形態の打球発射ハンドル５においては、遊技者が第１のハンドルリング１４を時計回り方向に回転させることにより調整した遊技球の発射力、即ち第１のハンドルリング１４の発射位置を、第２のハンドルリング２１により規制するようにしている。
【００２１】
図６は、第２のハンドルリングによる第１のハンドルリングの規制方法を示した図である。
第２のハンドルリング２１により第１のハンドルリング１４の発射位置を規制する場合、遊技者は、打球発射装置から発射される遊技球を見ながら第１のハンドルリング１４を動かして、第１のハンドルリング１４の発射位置を調整する。この後、図６（ａ）に示すように、第２のハンドルリング２１を時計回り方向に回して第２のハンドルリング２１に設けられているハンドル規制部３０のストッパ部材３２を、第１のハンドルリング１４に設けられている突起１５の僅かに手前の角度位置（図６（ａ）では突起１５の上方位置）に合わせるように設定する。この後、図６（ｂ）に示すように、ハンドル規制部３０のストッパ部材３２を第１のハンドルリング１４の方向にスライドさせて、第１のハンドルリング１４の突起１５に当接させるようにする。このとき、第２のハンドルリング２１の回転方向の把持力を、第１のハンドルリング１４に加わる付勢力より十分大きくしておけば、第２のハンドルリング２１のハンドル規制部３０により第１のハンドルリング１４の反時計回り方向の力を規制すること可能になる。つまり、第１のハンドルリング１４の発射位置を一定位置に保つことができるようになる。
【００２２】
第２のハンドルリング２１の把持力を強くするための具体例としては、例えば、第２のハンドルリング２１とハンドルベース１１ｂとの間の摩擦力を大きくするために、第２のハンドルリング２１の裏面もしくはハンドルベース１１ｂの表面に細かな凹凸や溝を設けることが考えられる。また第２のハンドルリング２１の裏面もしくはハンドルベース１１ｂの表面に滑り止め剤を塗布したり、ゴムなどの弾性素材を備えた滑り止め用シールを貼付したりすることが考えられる。
従って、このような本実施形態の打球発射ハンドル５によれば、遊技者は打球発射ハンドル５に手を添えておくだけで所定位置に遊技球を発射することが可能になり、長時間遊技を行った場合でも腕や肩が疲れるといったことがない。
また、例えば打球発射ハンドル５に備えられている人体検知センサ１９をオフにすれば、遊技者は打球発射ハンドル５に触れることなく、所定位置に遊技球を発射することが可能になる。
【００２３】
なお、ハンドル規制部３０により第１のハンドルリング１４を規制している状態において、ハンドル規制部３０のストッパ部材３２をスライドさせて第１のハンドルリング１４の突起１５との当接を解除すると、第１のハンドルリング１４の発射位置を初期位置に戻すことができる。
さらに、本実施形態の打球発射ハンドル５は、従来のようにコインなどの固定部材をハンドルリングとベース部材の隙間に挿入して遊技球を発射するハンドルリングの動き自体を規制するのではなく、第１のハンドルリング１４が第１の及び第２の付勢部材１６、１７の付勢力により初期位置側に戻るのを第２のハンドルリング２１のハンドル規制部３０により規制しているので、第１のハンドルリング１４の発射位置をハンドル規制部３０により規制した場合でも、規制した発射位置より時計回り方向の範囲内、つまり遊技球の発射力を強める方向であれば発射力を可変することができる。
【００２４】
従って、例えば、図７（ａ）に示すようにハンドル規制部３０により第１のハンドルリング１４の発射位置を通常遊技に適した発射位置に合わせておけば、図７（ｂ）に示すように遊技者が第１のハンドルリング１４を時計回り方向に回転させることで速やかに発射力の強めることができる。また遊技者が第１のハンドルリング１４を回転させていた力を緩めるだけで再調整等を行うことなく、第１のハンドルリング１４の発射位置を通常遊技に適した発射位置に戻すことができるようになる。
よって、例えば大当たり状態となったときに多くの賞球を得るために遊技球の発射力を一番強くして発射する特殊な遊技方法を必要とするパチンコ遊技機に本実施形態の打球発射ハンドル５を適用すれば、大当たり状態終了後において発射位置を通常遊技に適した発射位置に容易に再調整可能になったという利点がある。
また本実施形態の打球発射ハンドルは、従来の打球発射ハンドルに突起と第２のハンドルリングを追加するだけで作製できるため、大幅なコストアップなしで実現することができるという利点がある。
【００２５】
なお、本実施形態において説明したハンドル規制部３０の構造はあくまでも一例であり、第１のハンドルリング１４が初期位置に戻るのを規制できる構造であれば何れの構成でも良いことは言うまでもない。
また本実施形態では、第２のハンドルリング２１における回転方向の把持力を第１のハンドルリング１４の付勢力より十分大きくしておくことで、ハンドル規制部３０により第１のハンドルリング１４の発射位置を規制するものとして説明したが、これはあくまでも一例である。例えば、第２のハンドルリング２１、或いは第２のハンドルリング２１とハンドルベース１１との間に第２のハンドルリング２１自体を固定するコイン等の固定部材を取り付けるための取付部を形成し、この取付部に固定部材を取り付けて第２のハンドルリング２１を固定するようにしても良い。このように構成すれば、第２のハンドルリング２１のハンドル規制部３０を任意の角度位置に固定することが可能になる。
【００２６】
また本実施形態では、第１のハンドルリングにより遊技球の発射力を調整し、第２のハンドルリングにより第１のハンドルリングの回動角度を規制するようにしているが、例えば第１のハンドルリングに加えて、第２のハンドルリングでも遊技球の発射力を調整可能にすれば、例えば切替スイッチ等により打球発射装置の発射力を第１又は第２のハンドルリングに応じた発射力に切り替えるといったこれまでにない打球発射操作を実現することが可能になる。
【図面の簡単な説明】
【００２７】
【図１】本発明の実施形態に係るパチンコ遊技機の全体正面図である。
【図２】本実施形態の打球発射ハンドルの外観斜視図である。
【図３】本実施形態の打球発射ハンドルの正面図である。
【図４】本実施形態の打球発射ハンドルの分解斜視図である。
【図５】ハンドル規制部を構成するストッパとストッパカバーの構成を示した図である。
【図６】第２のハンドルリングによる第１のハンドルリングの規制方法の一例を示した図である。
【図７】第２のハンドルリングによる第１のハンドルリングの規制方法の一例を示した図である。
【符号の説明】
【００２８】
１…パチンコ遊技機、３…遊技盤、４…皿部、５…打球発射ハンドル、６…前面下部板、１１…ハンドルベース、１２…ロータリセンサ、１３…大径歯車、１４…第１のハンドルリング、１５…突起、１６…第１の付勢部材、１７…第２の付勢部材、１８…ハンドルキャップ、１８ａ…カバー部材、１９…人体検知センサ、２０…カバー部材、２１…第２のハンドルリング、３０…ハンドル規制部、３１…ストッパ受部、３２…ストッパ部材、３２ａ、３３ｂ…突起部、３３…ストッパカバー部材３３ａ…スリット
【図１】
2008086371.tif 000003
【図２】
2008086371.tif 000004
【図３】
2008086371.tif 000005
【図４】
2008086371.tif 000006
【図５】
2008086371.tif 000007
【図６】
2008086371.tif 000008
【図７】
2008086371.tif 000009